(57)【要約】【課題】洗い場床の防水性を低下させずに安定した取付状態を維持できる浴室ユニット構成品の洗い場床に対する取付構造を提供する。【解決手段】浴室の洗い場床の表面よりも上方に突出して洗い場床の縁部に設けられたフランジ部を、洗い場床の内側及び外側の両側から挟み込むことで洗い場床に対して一対の取付具が固定され、これら一対の取付具のうちの少なくとも一方に対して、浴室ユニット構成品の下端部が固定された。【選択図】図１
2008121352.tif 000002
【特許請求の範囲】
【請求項１】
浴室の洗い場床の表面よりも上方に突出して前記洗い場床の縁部に設けられたフランジ部を、前記洗い場床の内側及び外側の両側から挟み込むことで前記洗い場床に対して一対の取付具が固定され、前記一対の取付具のうちの少なくとも一方に対して、浴室ユニット構成品の下端部が固定されたことを特徴とする浴室ユニット構成品の洗い場床に対する取付構造。
【請求項２】
前記一対の取付具は、前記フランジ部を上下方向からも挟み込むことを特徴とする請求項１記載の浴室ユニット構成品の洗い場床に対する取付構造。
【請求項３】
前記フランジ部は前記洗い場床の裏面より下方にも突出し、
前記一対の取付具のうち前記洗い場床の外側に設けられた取付具に、前記下方に突出したフランジ部の下端部を凹状に囲んで係合するフック部が設けられたことを特徴とする請求項１または２に記載の浴室ユニット構成品の洗い場床に対する取付構造。
【請求項４】
前記フランジ部に、前記取付具の位置決め部が設けられたことを特徴とする請求項１〜３のいずれか１つに記載の浴室ユニット構成品の洗い場床に対する取付構造。
【発明の詳細な説明】
【技術分野】
【０００１】
本発明は、浴室ユニット構成品の洗い場床に対する取付構造に関する。
【背景技術】
【０００２】
従来、浴室における壁パネルを支える支柱（ジョイナー）は、防水パンの縁部に設けられたフランジ部に対してねじ止めされた金具を介して防水パンの縁部に立設される構造が多く採用されている（例えば特許文献１参照）。しかし、防水パンに対して金具をねじ止めする構成は、防水パンにねじ止め用の孔があくことになり、防水パンの防水性を低下させる原因になる。
【０００３】
特許文献２には、防水パンの水切壁に対してバックハンガーを介してフレーム（ジョイナー）の下端を連結させた構造が開示されている。しかし、バックハンガーは水切壁に対して上方から差し込まれただけで固定されていないため、フレームの下端が上下方向に動きやすく、不安定な組み付け状態となる。
【特許文献１】特開平１０−１４０６３４
【特許文献２】特開平１１−１２４９２８
【発明の開示】
【発明が解決しようとする課題】
【０００４】
本発明は、洗い場床の防水性を低下させずに安定した取付状態を維持できる浴室ユニット構成品の洗い場床に対する取付構造を提供する。
【課題を解決するための手段】
【０００５】
本発明の一態様によれば、浴室の洗い場床の表面よりも上方に突出して前記洗い場床の縁部に設けられたフランジ部を、前記洗い場床の内側及び外側の両側から挟み込むことで前記洗い場床に対して一対の取付具が固定され、前記一対の取付具のうちの少なくとも一方に対して、浴室ユニット構成品の下端部が固定されたことを特徴とする浴室ユニット構成品の洗い場床に対する取付構造が提供される。
【発明の効果】
【０００６】
本発明によれば、洗い場床の防水性を低下させずに安定した取付状態を維持できる浴室ユニット構成品の洗い場床に対する取付構造が提供される。
【発明を実施するための最良の形態】
【０００７】
以下、図面を参照し、本発明の実施形態について説明する。なお、以下の実施形態では、壁パネルの割り付け部分やコーナー部などに立設され、隣接する壁パネルどうしをつなぐ役割を担うジョイナーを浴室ユニット構成品の一例に挙げて説明する。
【０００８】
［第１の実施形態］
図１は、本発明の第１の実施形態に係るジョイナー取付構造を表す模式断面図である。
【０００９】
柱状のジョイナー２の下端部は、一対のジョイナー取付具４、５を介して洗い場床１に対して固定され、ジョイナー２の上端部は、例えばねじ２９によって天井つなぎ材２８に固定される。
【００１０】
洗い場床１は、浅底の器状（パン状）に形成され、浴室外部に湯水を漏出させない防水性を有する。洗い場床１の縁部には、洗い場床１の表面よりも上方に突出する上フランジ部６ａと、洗い場床１の裏面よりも下方に突出する下フランジ部６ｂとからなるフランジ部６が一体に設けられている。フランジ部６は、洗い場床１の床面に対して略垂直に設けられている。上フランジ部６ａは、洗い場床１上で使用される湯水が洗い場床１の外に流出するのを防ぐ水切り壁として機能する。
【００１１】
一対のジョイナー取付具４、５は、フランジ部６を挟み込むことで洗い場床１に対して固定され、本実施形態では例えば一方のジョイナー取付具４に対してジョイナー２の下端部が固定される。
【００１２】
図２は、一対のジョイナー取付具４、５の斜視図である。
【００１３】
一方のジョイナー取付具４は、背板部１４と、水平部１３と、前板部１２と、足部１１とが、階段状に一体に設けられてなる。
【００１４】
図１に表すように、前板部１２は上フランジ部６ａの内壁面に対して略平行に対向接触し、足部１１は洗い場床１の縁部近くの床面上に支持される。水平部１３は、上フランジ部６ａの上端面に当接しつつ、前板部１２の上端部から洗い場床１の外側に向けて略水平に突出している。背板部１４は、水平部１３の後端部（フランジ部６の外側に位置する端部）から水平部１３に対して略直角に上方に延在している。
【００１５】
他方のジョイナー取付具５は、前記一方のジョイナー取付具４の水平部１３の裏面に重ね合わせられる水平部２２と、この水平部２２の前端部（フランジ部６側の端部）に対して略直角に一体に設けられ、水平部２２の前端部から下方に垂下してフランジ部６の外壁面に対向接触する垂下部２１と、垂下部２１の下端部に一体に設けられた凹状のフック部２３とを有する。フック部２３は、下フランジ部６ｂの下端部を凹状に囲んで係合する。
【００１６】
ジョイナー取付具４、５は、洗い場床１の内側及び外側の両側からフランジ部６を挟み込み、且つ上下方向からもフランジ部６を挟み込み、その状態で、互いに重ね合わされた水平部１３及び水平部２２に対して、水平部１３の上方からねじ３５が締め込まれる。これにより、ジョイナー取付具４、５は、フランジ部６を上下及び横方向から狭圧し、洗い場床１に対して固定される。
【００１７】
ジョイナー取付具４の背板部１４には、ジョイナー２の下端部が、ねじ３６により固定される。図３に表すように、ジョイナー２は、薄板を四角柱状に折り曲げてなり、その背板部２ａの下端部が図１に表すようにジョイナー取付具４の背板部１４に重ね合わされ、これら背板部２ａ、１４に対してジョイナー２の背板部２ａの内側からねじ３６がねじ込まれる。
【００１８】
図３は、例えば２つの壁パネル３ａ、３ｂの割り付け部分に立設されたジョイナー（いわゆる平ジョイナー）２に対する、２つの壁パネル３ａ、３ｂの嵌合構造を表す横断面図である。
【００１９】
一方の壁パネル３ａにおいて、他方の壁パネル３ｂに隣接する側の側端部には、薄板を裏側に折り曲げて折り返した形状に加工された嵌合突起９ａが設けられている。同様に、他方の壁パネル３ｂにおいて、前記一方の壁パネル３ａに隣接する側の側端部には、薄板を裏側に折り曲げて折り返した形状に加工された嵌合突起９ｂが設けられている。
【００２０】
ジョイナー２において、浴室内側に向き合わされる部分には、弾性作用により拡縮自在なスリット３１が形成されている。そのスリット３１を押し広げるようにして、シール材（または２次ジョイナー）３３を介して、２つの壁パネル３ａ、３ｂそれぞれの嵌合突起９ａ、９ｂが、スリット３１に嵌合する。
【００２１】
本実施形態によれば、ジョイナー２は、洗い場床１に対して直接ねじ止め固定されるのではなく、洗い場床１のフランジ部６を挟み込むことで洗い場床１に対して固定されたジョイナー取付具４、５の少なくとも一方に対してねじ止め固定される。また、ジョイナー取付具４、５も、洗い場床１に対して直接ねじ止め固定されない。ジョイナー取付具４、５は、洗い場床１のフランジ部６を挟み込んだ状態で互いが重ね合わさる部分にねじが締結されることで、フランジ部６を狭圧して固定される。したがって、洗い場床１に、ジョイナー２やジョイナー取付具４、５のねじ止め用の孔が開かず、洗い場床１の防水性を低下させない。
【００２２】
ジョイナー取付具４、５は、洗い場床１の内側及び外側の両側からフランジ部６を挟み込み、且つ上下方向からもフランジ部６を挟み込むので、洗い場床１のフランジ部６に対してしっかりと固定され、特にフック部２３が下フランジ部６ｂの下端部を凹状に囲むように係合していることもあって、ジョイナー２やこれに連結された壁パネルが洗い場床１上に設置後に、上下方向に動いてしまうのを規制でき、組み付け不具合を防げる。
【００２３】
ジョイナー取付具４の前板部１２とジョイナー取付具５の垂下部２１とだけで、上フランジ部６ａを、洗い場床１の内側と外側の両方から挟み込むだけとした場合、両ジョイナー取付具４、５からの狭圧力を受ける部分の面積、すなわち上フランジ部６ａの上方への突出高さが小さいと、十分な狭圧力が得られず、ジョイナー取付具４、５のフランジ部６に対する固定力が弱くなるおそれがある。しかし、上フランジ部６ａの突出高さをあまり高くすると、洗い場床１とその隣室である例えば脱衣室との間の出入口部における段差が大きくなり、障害者や高齢者にとって負担となる。
【００２４】
本実施形態では、ジョイナー取付具４の水平部１３と、ジョイナー取付具５のフック部２３とで、上下方向からもフランジ部６を狭圧するので、上フランジ部６ａの突出高さを低くしても十分な固定力が得られる。したがって、バリアフリーを図りやすい。また、上フランジ部６ａの突出高さが小さいと、施工時に洗い場床１を現場にて傾けるように回す際に、上フランジ部６ａが設置床面や建築壁にぶつかりにくくなり、作業性が向上する。リフォームなどの建築壁が既に立設されている工事現場においては、上フランジ部６ａの突出高さが高い場合、洗い場床１の設置場所へ搬入した後、洗い場床１を回転できない場合があり、その際は一部の壁を壊さなければならない場合がある。特に、浴槽と洗い場とが分割されている場合には浴槽は入浴のための所定高さが必要となり、回転できない可能性が高くなる。本構造を浴槽側の洗い場床フランジ部に適用した場合はさらに有効な手段となる。
【００２５】
洗い場床１のフランジ部６において高さ寸法が略同じ部分には、同じジョイナー取付具４、５を場所を選ばず取り付けることができる。また、ジョイナー取付具４、５は着脱自在であり、洗い場床１には孔をあける必要もないので、施工現場でのジョイナー取付位置の調整や変更が容易である。
【００２６】
また、ねじ３５、３６のねじ込み方向は、洗い場床１の内側から外側に向けてであるため、洗い場床１を建物における設置空間に設置した後、洗い場床１と建築壁との間に十分なスペースが確保できない場合でも、ジョイナー取付具４、５及びジョイナー２の取り付けを行うことができる。
【００２７】
以下、本発明の他の実施形態について説明する。なお、前述したものと同様の要素については、同一の符号を付して詳細な説明は省略する。
【００２８】
［第２の実施形態］
図４は、本発明の第２の実施形態に係るジョイナー取付構造を表す模式断面図である。
【００２９】
上フランジ部６ａに対して洗い場床１の内側から接触するジョイナー取付具４１は、前述した第１の実施形態のジョイナー取付具４と同様、背板部１４、前板部１２、足部１１を有するが、水平部１３の代わりに傾斜部４３が設けられている。傾斜部４３は、上フランジ部６ａの上端付近から斜め上方に傾斜しつつ建物の壁１００側に出っ張っている。
【００３０】
フランジ部６に対して洗い場床１の外側から接触するジョイナー取付具４２は、前述した第１の実施形態のジョイナー取付具５と同様、垂下部２１、フック部２３を有するが、水平部２２の代わりに傾斜部４４が設けられている。傾斜部４４は、上フランジ部６ａの上端付近から斜め上方に傾斜しつつ建物の壁１００側に出っ張っている。
【００３１】
ジョイナー取付具４１、４２がフランジ部６を挟み込んだ状態で、互いに重ね合わされた傾斜部４３及び傾斜部４４に対してねじ３５が締め込まれることで、ジョイナー取付具４１、４２はフランジ部６を狭圧し、洗い場床１に対して固定される。ジョイナー取付具４１の背板部１４には、第１の実施形態と同様にジョイナー２の下端部が、ねじ３６により固定される。
【００３２】
本実施形態においても、洗い場床１に、ジョイナー２やジョイナー取付具４１、４２のねじ止め用の孔が開かず、洗い場床１の防水性を低下させない。さらに、ジョイナー取付具４１、４２は、フランジ部６を狭圧することで洗い場床１に対してしっかりと固定され、またフック部２３が下フランジ部６ｂの下端部を凹状に囲むように係合していることもあって、ジョイナー２やこれに連結された壁パネルが洗い場床１上に設置後に、上下方向に動いてしまうのを規制でき、組み付け不具合を防げる。
【００３３】
また、本実施形態では、ねじ３５がねじ込まれる傾斜部４３、４４は、水平ではなく、浴室内側を向くように傾斜しているため、ねじ３５は、鉛直方向に対して浴室側に傾いた方向からねじ込まれる。これにより、図４において２点鎖線で表す電動ドリル５０を、建物の壁１００側に出っ張らせることなくねじ３５をねじ込め、浴室ユニットと、建物の壁１００との間のスペースが狭くても、電動ドリル５０を用いたねじ止めを作業性よく行うことができる。
【００３４】
［第３の実施形態］
図５は、本発明の第３の実施形態に係るジョイナー取付構造を表す模式断面図である。
【００３５】
本実施形態では、ジョイナー取付具５の下端部に断面Ｌ字状のフック部４６を設けている。この場合でも、ジョイナー取付具４、５の上方向の移動を規制することができる。ただし、図１に表すように凹状のフック部２３とした方が、図５に表すａ方向にジョイナー取付具４、５が回転しにくくできる。
【００３６】
［第４の実施形態］
図６は、本発明の第４の実施形態に係るジョイナー取付構造を表す模式断面図である。
【００３７】
前述した断面Ｌ字状のフック部４６とした場合には、図６に表すように洗い場床１のフランジ部が上フランジ部６ａだけであった場合にも、上フランジ部６ａ下端の角部にフック部４６を係合させることができ、ジョイナー取付具４、５の上方向への移動を規制できる。
【００３８】
［第５の実施形態］
本実施形態では、図７、８に表すように、洗い場床１の床面においてジョイナー取付具４の足部１１を支える部分に凹部５１を設けている。
【００３９】
凹部５１に足部１１が収まることで、足部１１上面と洗い場床１の床面とを略面一にでき、足部１１の上にも壁パネル３ａを載せ置くことができる。したがって、壁パネル３ａをフランジ部６側に寄せて設置することができ、その分、洗い場空間を広げることができる。本実施形態は、特に壁パネル３ａが厚い場合に有効である。また、凹部５１に足部１１が嵌り込むことで、ジョイナー取付具４、５のフランジ部６に沿った方向（図７において紙面を貫く方向）の移動を規制することもできる。
【００４０】
［第６の実施形態］
洗い場床１の床面に凹部５１を設けて、その凹部５１にジョイナー取付具４の足部１１を収める構成は、図９に表すように、洗い場床１の縁部近くに段部５３があり、壁パネル３ａの設置スペースが限られる場合にも有効である。
【００４１】
足部１１の上に壁パネル３ａを載せ置いて、壁パネル３ａをフランジ部６側に寄せることで、段部５３に干渉せずに壁パネル３ａを設置することが可能になる。
【００４２】
［第７の実施形態］
図１０は、本発明の第７の実施形態に係るジョイナーの取付構造を表す模式断面図である。
【００４３】
本実施形態では、洗い場床１の外側からフランジ部６に接するジョイナー取付具７１に、ジョイナー取付具４の背板部１４に重ね合わされる背板部７２を設けている。ジョイナー２の背板部２ａ、ジョイナー取付具４の背板部１４およびジョイナー取付具７１の背板部７２が互いに重ね合わされた状態で、これらに対して、ジョイナー２の背板部２ａの内側からねじ３６が締め込まれる。これにより、ジョイナー取付具４、７１が互いに結合されてフランジ部６を狭圧して洗い場床１に対して固定されると共に、ジョイナー取付具４、７１に対してジョイナー２の下端部が固定される。
【００４４】
ジョイナー取付具４、７１どうしの結合と、ジョイナー取付具４、７１に対するジョイナー２の固定とを、１本のねじ３６で兼用しているため、部品点数及び作業工数の削減が図れる。
【００４５】
なお、図１に表す第１の実施形態において、ジョイナー取付具５を、ジョイナー取付具４よりも上方に延出させて、そのジョイナー取付具５に対してジョイナー２の下端部をねじ止めしてもよい。
【００４６】
前述した各実施形態において、フランジ部６にジョイナー取付具の位置決め部を設けて、ジョイナー取付具の位置決めや、取り付け後の移動の規制を図ることができる。
【００４７】
図１１は、フランジ部６の内壁面に、ジョイナー取付具４の前板部１２が係合する凹状の位置決め部６１を設けた具体例を表す。
【００４８】
図１２は、上フランジ部６ａの上端部に、ジョイナー取付具４の水平部１３が係合する凹状の位置決め部６２を設けた具体例を表す。
【００４９】
図１３は、下フランジ部６ｂの下端部に、ジョイナー取付具５のフック部２３が係合する凹状の位置決め部６３を設けた具体例を表す。
【００５０】
図１４は、フランジ部６の外壁面に一対の凸状の位置決め部６４を設けた具体例を表す。これら位置決め部６４間に、ジョイナー取付具５の垂下部２１が係合する。
【００５１】
本発明は、ジョイナーの洗い場床に対する取り付けに限らず、例えばバスエプロンの洗い場床に対する取り付け、ドアや壁パネルの洗い場床に対する取り付け、排水管および給水給湯管の洗い場床または浴槽に対する支持材の取り付け、浴槽へのジョイナーの取り付けなど、浴室ユニット構成品の洗い場床に対する取り付けに対して適用可能である。
【００５２】
図１５に、一対の取付具５、８３を用いたバスエプロン９０の洗い場床１に対する取付構造を表す。
【００５３】
取付具８３は、外側突出部８４と、内側突出部８５と、垂下部８６と、足部８７とが一体に設けられてなる。
【００５４】
垂下部８６は、洗い場床１の上フランジ部６ａの内壁面に対して略平行に対向接触し、足部８７は洗い場床１の縁部近くの床面上に支持される。外側突出部８４は、上フランジ部６ａの上端面に当接しつつ、垂下部８６の上端から洗い場床１の外側に向けて略水平に突出している。内側突出部８５は、垂下部８６の上端から洗い場床１の内側に向けて略水平に突出している。
【００５５】
取付具５は、前記取付具８３の外側突出部８４の裏面に重ね合わせられる水平部２２と、この水平部２２の前端部（フランジ部６側の端部）に対して略直角に一体に設けられ、水平部２２の前端部から下方に垂下してフランジ部６の外壁面に対向接触する垂下部２１と、垂下部２１の下端部に一体に設けられた断面Ｌ字状のフック部４６とを有する。フック部４６は、下フランジ部６ｂの下端部に係合している。
【００５６】
取付具８３および取付具５は、洗い場床１の内側及び外側の両側からフランジ部６を挟み込み、且つ上下方向からもフランジ部６を挟み込み、その状態で、互いに重ね合わされた外側突出部８４及び水平部２２に対して、外側突出部８４の上方からねじ９５が締め込まれる。これにより、取付具８３、５は、フランジ部６を上下及び横方向から狭圧し、洗い場床１に対して固定される。
【００５７】
取付具８３の内側突出部８５には、バスエプロン９０の下端部が、ねじ９６により固定される。バスエプロン９０の下端部が内側突出部８５の下面に重ね合わされ、その重ね合わされた部分に、バスエプロン９０下端部の下方からねじ９６がねじ込まれる。バスエプロン９０の上端部は、浴槽１００における洗い場床１側のリム部１００ａに対して液密に取り付けられる。
【図面の簡単な説明】
【００５８】
【図１】本発明の第１の実施形態に係る浴室ユニット構成品の洗い場床に対する取付構造を表す模式断面図である。
【図２】図１に表す一対の取付具の斜視図である。
【図３】平ジョイナーに対する２つの壁パネルの嵌合構造を表す横断面図である。
【図４】本発明の第２の実施形態に係る浴室ユニット構成品の洗い場床に対する取付構造を表す模式断面図である。
【図５】本発明の第３の実施形態に係る浴室ユニット構成品の洗い場床に対する取付構造を表す模式断面図である。
【図６】本発明の第４の実施形態に係る浴室ユニット構成品の洗い場床に対する取付構造を表す模式断面図である。
【図７】本発明の第５の実施形態に係る浴室ユニット構成品の洗い場床に対する取付構造を表す模式断面図である。
【図８】図７に表す洗い場床面に形成された凹部を表す模式斜視図である。
【図９】本発明の第６の実施形態に係る浴室ユニット構成品の洗い場床に対する取付構造を表す模式断面図である。
【図１０】本発明の第７の実施形態に係る浴室ユニット構成品の洗い場床に対する取付構造を表す模式断面図である。
【図１１】本実施形態において、洗い場床のフランジ部に形成されたジョイナー取付具の位置決め部を表す模式斜視図である。
【図１２】本実施形態において、洗い場床のフランジ部に形成されたジョイナー取付具の位置決め部の他の具体例を表す模式斜視図である。
【図１３】本実施形態において、洗い場床のフランジ部に形成されたジョイナー取付具の位置決め部のさらに他の具体例を表す模式斜視図である。
【図１４】本実施形態において、洗い場床のフランジ部に形成されたジョイナー取付具の位置決め部のさらに他の具体例を表す模式斜視図である。
【図１５】本発明を、バスエプロンと洗い場床との取付構造に適用した場合の具体例を表す模式断面図である。
【符号の説明】
【００５９】
１…洗い場床、２…ジョイナー、３ａ，３ｂ…壁パネル、４…ジョイナー取付具、５…ジョイナー取付具、６…フランジ部、６ａ…上フランジ部、６ｂ…下フランジ部、２３…フック部、２８…天井つなぎ材、６１〜６４…位置決め部
【図１】
2008121352.tif 000003
【図２】
2008121352.tif 000004
【図３】
2008121352.tif 000005
【図４】
2008121352.tif 000006
【図５】
2008121352.tif 000007
【図６】
2008121352.tif 000008
【図７】
2008121352.tif 000009
【図８】
2008121352.tif 000010
【図９】
2008121352.tif 000011
【図１０】
2008121352.tif 000012
【図１１】
2008121352.tif 000013
【図１２】
2008121352.tif 000014
【図１３】
2008121352.tif 000015
【図１４】
2008121352.tif 000016
【図１５】
2008121352.tif 000017